(57)【要約】【課題】  識別情報の印刷部分が汚損し難く、また、印刷ミス等により生じる無駄を削減することができる生体情報表示バンド等を提供することを課題とする。【解決手段】  患者を識別するための識別情報を表示する表示部１２を有し、表示部１２の一端から延びるベルト部１３を患者の手首に巻きつけ、当該ベルト部１３を表示部の他端に係止して使用する医療用リストバンド１であって、表示部１２は、識別情報を表記した識別タグＴを挿入するための挿入開口２１を有し、識別タグＴを収容する袋状のタグ収容部２２を備え、タグ収容部２２は、収容した識別タグＴの識別情報を外部から視認可能なように、少なくとも一部が透明に構成されていることを特徴とする。【選択図】  図１
2006285036.tif 000002
【特許請求の範囲】
【請求項１】
生体が有する生体情報を表示する表示部を有し、前記表示部の一端から延びるベルト部を生体の一部に巻きつけ、当該ベルト部を前記表示部の他端に係止して使用する生体情報表示バンドであって、
前記表示部は、前記生体情報を表記した生体情報表示タグを挿入するための挿入開口を有し、前記生体情報表示タグを収容する袋状のタグ収容部を備え、
前記タグ収容部は、収容した前記生体情報表示タグの前記生体情報を外部から視認可能なように、少なくとも一部が透明に構成されていることを特徴とする生体情報表示バンド。
【請求項２】
前記表示部および前記ベルト部は、２枚重ねのシートを切り抜いて一体に形成されており、
前記挿入開口に相当する部位を除いて輪郭線を熱圧着することにより、前記タグ収容部が形成されていることを特徴とする請求項１に記載の生体情報表示バンド。
【請求項３】
前記ベルト部を前記表示部の端に係止する固定具をさらに備え、
前記固定具は、前記係止のために前記表示部に形成した第１係止孔および前記ベルト部に形成した第２係止孔に挿通する突部片と、
前記突部片に抜け止め状態で嵌合する嵌合片と、
前記突部片および前記嵌合片を連結するヒンジ部と、を有することを特徴とする請求項１または２に記載の生体情報表示バンド。
【請求項４】
前記突部片および前記嵌合片は、ベルト部の長手方向に連結されていると共に、前記突部片または前記嵌合片には、前記ベルト部を挿通させるスリットが形成され、
前記第２係止孔は、前記ベルト部の前記長手方向に複数形成されており、
前記固定具は、前記第１係止孔を前記突部片に挿通させると共に前記スリットにベルト部側を挿通させてから、前記第２係止孔を前記突部片に挿通させることにより、前記ベルト部を前記表示部の端に係止することを特徴とする請求項３に記載の生体情報表示バンド。
【請求項５】
前記挿入開口を構成した前記タグ収容部の開口部位に、前記第１係止孔が形成されていることを特徴とする請求項３または４に記載の生体情報表示バンド。
【請求項６】
前記表示部および前記ベルト部は、防水性を有しており、
前記突部片および前記嵌合片のいずれか一方には、前記挿入開口の開口幅方向に延在して押え凸部が形成され、
他方には、前記開口部位および前記ベルト部を介して、前記押え凸部を受ける受け部が形成されていることを特徴とする請求項５に記載の生体情報表示バンド。
【請求項７】
前記挿入開口を封止する封止手段をさらに備えていることを特徴とする請求項１ないし４のいずれかに記載の生体情報表示バンド。
【請求項８】
前記固定具は、前記ベルト部を前記表示部の端に係止することにより、前記封止手段により封止した前記挿入開口を覆うことを特徴とする請求項７に記載の生体情報表示バンド。
【請求項９】
前記挿入開口を熱溶着させて封止させることを特徴とする請求項１ないし４のいずれかに記載の生体情報表示バンド。
【請求項１０】
前記生体情報表示タグは、前記生体情報を、当該生体情報に対応付けた色および／または図形で表示することを特徴とする請求項１ないし９のいずれかに記載の生体情報表示バンド。
【請求項１１】
前記タグ収容部には、前記生体情報表示タグと共に、または前記生体情報表示タグに代えて、前記生体情報を含む情報を記憶させたＩＣタグが収容されることを特徴とする請求項１ないし１０のいずれかに記載の生体情報表示バンド。
【請求項１２】
ロール状に巻回された長尺のロールシートであって、
請求項１ないし１１のいずれかに記載の生体情報表示バンドが複数作り込まれると共に、作り込まれた各生体情報表示バンドの輪郭の一部を残して、切り離し用の切込みが当該輪郭に沿って入れられていることを特徴とするロールシート。
【請求項１３】
前記生体情報を入力するための入力手段と、
前記生体情報表示タグとなる印刷媒体に対して、入力された前記生体情報データに基づいた印刷を行う印刷手段を有し、請求項１ないし１１のいずれかに記載の生体情報表示バンドに収容される前記生体情報表示タグを作成するタグ作成手段と、を備えたことを特徴とする生体情報表示バンド作成システム。
【請求項１４】
前記印刷媒体は、ロール紙であり、
前記タグ作成手段は、前記印刷媒体の印刷済み部分をオートカットするオートカット手段をさらに備えたことを特徴とする請求項１３に記載の生体情報表示バンド作成システム。
【請求項１５】
前記生体情報には、生体を識別するための生体識別情報が含まれており、
前記生体識別情報と他の生体情報とを関連付けた生体情報テーブルを記憶したテーブル記憶手段と、
前記入力手段により入力された前記生体識別情報および前記生体情報テーブルに基づいて、当該生体識別情報に関連付けられた前記生体情報を検索した後、前記印刷手段を制御して、入力された前記生体識別情報および前記生体情報、検索して得られた前記生体情報に基づいた印刷を行わせる制御手段と、を備えたことを特徴とする請求項１３または１４に記載の生体情報表示バンド作成システム。
【発明の詳細な説明】
【技術分野】
【０００１】
本発明は、生体が有する生体情報を表示する表示部を有し、表示部の一端から延びるベルト部を生体の一部に巻きつけて使用する生体情報表示バンド、ロールシート、および生体情報表示バンド作成システムに関する。
【背景技術】
【０００２】
生体が有する生体情報を表示する生体情報表示バンドの一例として、患者の識別情報を表示した医療用リストバンドが挙げられる。医療用リストバンドは、患者の取り違い等に起因した医療過誤を防止するための手段として提案されており、患者の氏名や血液型等の識別情報を印刷するための表示部と、患者の手首（または足首）に巻き付けるバンド本体と、が一体に形成されている。そして、汎用のプリンタを用いて表示部に患者の識別情報を印刷した後、バンド本体を患者の手首に巻き付けるようになっている。
【特許文献１】特開２００１−１３７０１７号公報
【発明の開示】
【発明が解決しようとする課題】
【０００３】
しかしながら、従来の医療用リストバンド（生体情報表示バンド）は、医療用リストバンドを構成する表示部に直接印刷を行うものであり、使用に伴う摩擦や汚れや薬品の付着等により表示部の識別情報を印刷した部分が欠損したり汚損し易いという問題があった。また、使用者の操作ミスやプリンタの不具合に起因した印刷ミスが生じると、その都度別の医療用リストバンドに印刷を行う必要があるため、印刷済みの医療用リストバンドは表示部のみでは無くリストバンド全体が無駄となってしまう。
【０００４】
また、識別情報を視覚的に把握可能とするために、血液型等の特定の識別情報に応じて色分けし、識別情報をカラー表示させることが好ましいが、医療用リストバンドのように（患者に対する安全性、使用時の耐久性を考慮した）特殊な素材に対して、直接カラー印刷し、なおかつ前述のように印刷した部分が欠損したり汚損しないようにすることは、コスト的にも技術的にも難しい。
【０００５】
本発明は、かかる問題に鑑みて為されたものであり、識別情報の印刷部分が汚損し難く、印刷ミス等により生じる無駄を削減することができると共に、識別情報をカラー印刷可能な生体情報表示バンド、ロールシート、および生体情報表示バンド作成システムを提供することを課題としている。
【課題を解決するための手段】
【０００６】
本発明は、生体が有する生体情報を表示する表示部を有し、表示部の一端から延びるベルト部を生体の一部に巻きつけ、当該ベルト部を前記表示部の他端に係止して使用する生体情報表示バンドであって、表示部は、生体情報を表記した生体情報表示タグを挿入するための挿入開口を有し、生体情報表示タグを収容する袋状のタグ収容部を備え、タグ収容部は、収容した生体情報表示タグの生体情報を外部から視認可能なように、少なくとも一部が透明に構成されていることを特徴とする。
【０００７】
この構成によれば、識別情報を印刷した生体情報表示タグが、識別情報を外部から視認可能なように構成された袋状のタグ収容部に収容される。すなわち、タグ収容部により表示部が受ける摩擦や汚れから生体情報表示タグを保護して、生体情報表示タグの印刷部分の欠損や汚損を防止することができる。これにより、生体情報表示タグの欠損や汚損に起因した識別情報の読み違いを有効に防止することができ、より確実に医療過誤を低減させることができる。
また、印刷ミス等が生じても、生体情報表示タグを換えるだけで済み、医療用リストバンド全体が無駄になることが無く、医療用リストバンドを有効に利用することができる。
さらに、生体情報表示タグに対して、汎用のプリンタ等を用いて識別情報をカラー表記しておくことにより、表示部で識別情報を容易にカラー表示させることができ、重要な情報などは一目で識別することができる。
【０００８】
なお、識別情報の表示は、文字表示だけに限定されず、シンボル画像（バーコード、二次元コード等）により表示しても良い。すなわち、識別情報の表示は、人や機器により（光学的に）読み取り可能となっている。
【０００９】
この場合、表示部および前記ベルト部は、２枚重ねのシートを切り抜いて一体に形成されており、生体情報表示タグの挿入開口に相当する部位を除いて輪郭線を熱圧着することにより、袋状にタグ収容部が形成されていることが好ましい。
【００１０】
この構成によれば、医療用リストバンドは、当該医療用リストバンドの形状に倣って切り抜いた２枚重ねのシートを、挿入開口に相当する部位を除いてその輪郭線を熱圧着したものであるので、袋状の表示部を有する医療用リストバンドを容易かつ低コストで医療用リストバンドを製造することが可能である。
なお、２枚重ねのシートを切り抜いてから、輪郭線を熱圧着させるようにして医療用リストバンドを製造しても良いし、医療用リストバンドの形状に倣って２枚のシートを熱溶着させた後、これを切り抜くようにして医療用リストバンドを製造しても良い。
【００１１】
この場合、ベルト部を表示部の端に係止する固定具をさらに備え、固定具は、前記係止のために表示部に形成した第１係止孔およびベルト部に形成した第２係止孔に挿通する突部片と、突部片に抜け止め状態で嵌合する嵌合片と、突部片および嵌合片を連結するヒンジ部と、を有することが好ましい。
【００１２】
この構成によれば、表示部に形成した第１係止孔およびベルト部に形成した第２係止孔を固定具で係止することにより、ベルト部を表示部の端に容易に係止することができる。
【００１３】
この場合、突部片および嵌合片は、ベルト部の長手方向（ベルト部の延在方向）に連結されていると共に、突部片または嵌合片には、ベルト部を挿通させるスリットが形成され、第２係止孔は、ベルト部の長手方向に複数形成されており、固定具は、第１係止孔を突部片に挿通させると共にスリットにベルト部側を挿通させてから、第２係止孔を突部片に挿通させることにより、ベルト部を表示部の端に係止することが好ましい。
【００１４】
この構成によれば、突部片および嵌合片がベルト部の長手方向に連結されている場合であっても、ベルト部をスリットに挿通させ、ベルト部の長手方向に複数形成された第２係止孔により、患者の手首に合わせてベルト部の嵌合位置を調節しながら、ベルト部と表示部とを係止させることができる。また、ベルト部の表側に表示部の裏側を合わせた状態で、ベルト部と表示部と、を係止させることもでき、医療用リストバンドを患者の手首に装着したときに、外側へのベルト部や表示部の端の出っ張りを比較的少なくできる。
【００１５】
この場合、挿入開口を構成するタグ収容部の開口部位に、第１係止孔が形成されていることが好ましい。
【００１６】
この構成によれば、開口部位に第１係止孔が形成されているため、第１係止孔と第２係止孔とを係止することにより、挿入開口を閉じることができる。すなわち、医療用リストバンドを係止するための係止機構（固定具、第１係止孔、および第２係止孔）が、挿入開口を閉じるための封止機構を兼ねている。このため、挿入開口から生体情報表示タグを挿入した後、表示部とタグ収容部とを係止すると、挿入開口が閉じられ、封止性を高めることができる。
【００１７】
この場合、表示部およびベルト部は、防水性を有しており、突部片および嵌合片のいずれか一方には、挿入開口の開口幅方向に延在して押え凸部が形成されていると共に、他方には、開口部位およびベルト部を介して、押え凸部を受ける受け部が形成されていることが好ましい。
【００１８】
この構成によれば、固定具に形成された押え凸部と受け部とにより、表示部とベルト部とが線状に押圧されるため、開口部位を確実に封止して、タグ収容部の封止性を高めることができる。この結果、タグ収容部の開口部位が略液密に封止され、表示部（タグ収容部）の内部に液体が浸入することを有効に防止することができる。したがって、医療用リストバンドに水等の液体がかかっても、収容した生体情報表示タグに液体が付着して欠損や汚損することがなく、生体情報表示タグを紙等の汎用な素材で作成することが可能である。
【００１９】
この場合、挿入開口を封止する封止手段をさらに備えていることが好ましい。
【００２０】
この構成によれば、挿入開口を封止手段で封止して閉じることができ、タグ収容部に挿入した生体情報表示タグが挿入開口から脱落することを防止することができる。ここにいう封止手段としては、ファスナ機構や、裏面に粘着材が塗布されたシール部材等を挙げることができる。なお、封止手段としてファスナ機構を採用した場合には、挿入開口の封止後も、挿入開口を任意に開閉することができるため、識別情報に変更が生じた場合等には、挿入した生体情報表示タグを容易に交換することができる。
【００２１】
この場合、固定具は、ベルト部を表示部の端に係止することにより、封止手段により封止した挿入開口を覆うことが好ましい。
【００２２】
この構成によれば、封止手段により封止した挿入開口が固定部により覆われるので、固定具を外さない状態で挿入開口を開封することは非常に困難であり、生体情報表示バンドを生体に装着中に、挿入開口が開封されることを有効に防止することができる。
【００２３】
この場合、生体情報表示タグを収容したタグ収容部の開口部位を、熱溶着させて封止することが好ましい。
【００２４】
この構成によれば、生体情報表示タグの挿入後に挿入開口を熱溶着して封止するので、タグ収容部に挿入した生体情報表示タグを液密に封止することができる。
【００２５】
生体情報表示タグは、生体情報を、当該生体情報に対応付けた色および／または図形で表示することが好ましい。
【００２６】
この構成によれば、生体情報を所定の色や図形、またはこれらの組み合わせによって表示することが可能であり、より効果的に（分かり易く）生体情報を表示することが可能である。例えば、各血液型にそれぞれ異なる色を対応させておき、これを生体情報表示タグにカラー表示させれば、色覚的に血液型を把握することが可能となる。同様に、生体情報を図形に（１対１で）対応させることにより、図形で生体情報を表示させることも可能である。すなわち、重要な生体情報を一目で認識することができ、医療過誤をより確実に防止することができる。
【００２７】
この場合、タグ収容部には、生体情報表示タグと共に、または生体情報表示タグに代えて、生体情報を含む情報を記憶させたＩＣタグが収容されることが好ましい。
【００２８】
この構成によれば、タグ収容部内に生体情報を含む情報を記憶させたＩＣタグが収容されるため、専用のリーダにより、収容したＩＣタグの情報を読み取り、生体を機械的に（自動）識別することが可能であると共に、専用のライタにより、収容したＩＣタグの情報を書き換えたり、追記したりすることが可能である。この場合、ＩＣタグのリーダ／ライタや医療用端末、医療用サーバを含めた医療システムにより、ＩＣタグの情報を読み込んだり、情報を生成して書き込んだりすることにより、タグ収容部内のＩＣタグで、自動的に生体の情報管理を行うことが可能である。
【００２９】
本発明は、ロール状に巻回された長尺のロールシートであって、上記のいずれかに記載の医療用リストバンドが複数作り込まれると共に、作り込まれた各医療用リストバンドの輪郭の一部を残して、切り離し用の切込みが当該輪郭に沿って入れられていることを特徴とする。
【００３０】
この構成によれば、長尺のロールシートに、生体情報表示バンドを連続して複数作り込むことにより、多数の生体情報表示バンドを効率的に製造することが可能である。また、生体情報表示バンドは、ロール状に巻回された状態で提供されるため、未使用の生体情報表示バンドをコンパクトな状態で収容（保管）することができると共に、生体情報表示バンドの使用時には、必要な数だけロールシートの切込みから切り離せばよいため、使用者の利便性を向上させることができる。
【００３１】
本発明の生体情報表示バンド作成システムは、生体情報データを入力するための入力手段と、生体情報表示タグとなる印刷媒体に対して、入力された生体情報データに基づいた（所定のフォーマットで）印刷を行う印刷手段を有し、上記のいずれかに記載の生体情報表示バンドに収容される生体情報表示タグを作成するタグ作成手段と、を備えたことを特徴とする。
【００３２】
この構成によれば、入力手段により入力された生体情報データに基づいて生体情報を印刷した生体情報表示タグを作成することができる。
【００３３】
この場合、印刷媒体は、ロール紙であり、タグ作成手段は、印刷媒体の印刷済み部分をオートカットするオートカット手段をさらに備えることが好ましい。
【００３４】
この構成によれば、印刷媒体としてロール紙を用いているため、連続印刷が可能となり、効率よく生体情報表示タグを作成することができる。そして、オートカット手段により、識別情報の印刷を終えた印刷済みの部分が所定の長さでオートカットされ、自動的に生体情報表示タグが作成されるので、使用者が印刷済み部分を手動で切断する煩雑さが無く、利便性がよい。
【００３５】
この場合、生体情報には、生体を識別するための生体識別情報が含まれており、生体識別情報と他の生体情報とを関連付けた生体情報テーブルを記憶したテーブル記憶手段と、入力手段により入力された生体識別情報および生体情報テーブルに基づいて、当該生体識別情報に関連付けられた他の生体情報を検索した後、印刷手段を制御して、入力された生体識別情報および生体情報、検索して得られた生体情報に基づいた印刷を行わせる制御手段と、を備えたことが好ましい。
【００３６】
この構成によれば、入力した生体識別情報に基づいて、生体情報テーブルから生体情報を検索し、この検索結果で得られた生体情報も印刷することができる。したがって、予め生体情報テーブルを作成しておけば、生体識別情報を入力するだけで、効率よく生体情報を印刷した生体情報表示タグを作成することができる。
【発明を実施するための最良の形態】
【００３７】
以下、添付の図面を参照して本発明を適用した医療用リストバンド（生体情報表示バンド）について説明する。第１実施形態の医療用リストバンド１は、患者（生体）を識別するための識別情報を印刷した識別タグＴ（生体情報表示タグ）を用いて、識別情報を表示させる表示部１２を有するバンド本体２と、バンド本体２の一端を他端に係止する固定具３と、を備えており、バンド本体２を患者の手首に巻き付け、固定具３でこれを環状に係止・固定して使用するようになっている。
【００３８】
なお、識別情報としては、患者氏名、性別、ＩＤ番号、血液型、診療科目、患者の属する病棟番号、電話番号、アレルギー項目などが挙げられ、識別タグＴには、これら識別情報が文字や図形、シンボル画像（バーコードや２次元コード）等で印刷される。
【００３９】
図１に示すように、バンド本体２は、可撓性を有するシート１１を２枚重ねにし、バンド本体２の形状に倣って切り抜くと共にその輪郭部に沿って（後述の挿入開口２１を除き）熱溶着したものであり、上記の表示部１２と、表示部１２の一端から延在し、その先端側を表示部１２の他端に係止させるベルト部１３と、が一体に形成されている。この場合、シート１１には、防水性を有し、医学的に安全性の高いポリウレタン等の素材が用いられる。
【００４０】
表示部１２は、識別タグＴを挿入する挿入開口２１を有し、識別タグＴを収容する袋状のタグ収容部２２を備えている。上記した２枚のシート１１の熱溶着は、表示部１２の一部、具体的にはベルト部１３が延在する側とは反対側の端部を除いて行われており、この非熱溶着部がタグ収容部２２の挿入開口２１となっている。（図面において、シート１１の熱溶着部は斜線で示している。）バンド本体２を構成する２枚のシート１１のうち１枚は透明のものが使用されており、タグ収容部２２の片面は透明に構成されている。すなわち、表示部１２では、タグ収容部２２に収容した識別タグＴの識別情報を、透明のシート１１を介して、外部から使用者が視認可能であり、また専用のリーダにより光学的に読み取り可能に表示するようになっている。なお、本実施形態では、２枚のうち、１枚のシート１１のみを透明のもので構成したが、２枚とも透明のものを用いることも当然に可能である。
【００４１】
また、挿入開口２１を構成する開口部位２３には、ベルト部係止用の第１係止孔２４が、挿入開口２１の開口幅に亘り、抜きっぱなしの状態で３個形成されている。そして、この第１係止孔２４には、固定具３の３個の突部５２（後述する）が挿通されるため、固定具３により表示部１２とベルト部１３とを係止すると、挿入開口２１が封止され、タグ収容部２２に収容した識別タグＴが挿入開口２１から脱落することを防止できるようになっている。なお、第１係止孔２４や固定具３の突部５２の個数は、３個に限るものでは無く、実情に合わせて任意の数とすることができることはいうまでもない。
【００４２】
ベルト部１３には、３個並んだ第１係止孔２４の真ん中の第１係止孔２４に重ね合わせ、第１係止孔２４と共に固定具３の突部５２に挿通させて、表示部１２に係止するための第２係止孔３１が形成されている。第２係止孔３１の縁部は、熱溶着されている。第２係止孔３１は、ベルト部１３の長手方向に並んで複数形成されており、患者の手首の太さに合わせて適当な位置にある第２係止孔３１を選び、固定具３により係止位置を適宜調節できるように構成されている。そして、固定具３からはみ出すベルト部１３の余分な部分は、ハサミ等でカットすればよい。なお、第２係止孔３１は、係止時の強度を増すために複数列形成しても良い。また、第２係止孔３１を第１係止孔２４の真ん中に重ねる構成としなくても良い。
【００４３】
なお、図２に示すように、バンド本体２は、当該バンド本体２を構成する２枚のシート１１を重ね合わせ、ロール状に巻回した長尺のロールシート４１に複数連続して作り込まれている。ロールシート４１は、バンド本体２の幅（挿入開口２１の開口幅）よりも幅広に構成されており、挿入開口２１を除いたバンド本体２の輪郭および第１係止孔２４の輪郭に合わせて、ロールシート４１を熱溶着すると同時に、バンド本体２の輪郭および第１係止孔２４の輪郭に合わせてカッタで打ち抜く（プレス打ち抜きする）ことによりロールシート４１からバンド本体２が形成される。この場合、バンド本体２の輪郭は、ロールシート４１から完全に切り離されないように一部分を残した状態で打ち抜かれており、使用時には、使用者がロールシート４１からバンド本体２を容易に切り離すことができるようになっている（図２（ｂ）参照）。
【００４４】
図１に示すように、固定具３は、表示部１２の開口部位２３に形成された３個の第１係止孔２４にそれぞれ対応する３個の突部５２が形成された突部片５１と、各突部５２に嵌合する嵌合孔６２が形成された嵌合片６１と、突部片５１および嵌合片６１を折り込み自在に、かつ突部５２の並び方向（挿入開口２１の開口幅方向）に連結するヒンジ部７１と、を備えている。図１（ｂ）に示すように、各突部５２の先端には、ほぞ部５２ａが形成されている。一方、各嵌合孔６２は、突部５２のほぞ部５２ａが抜け止め状態で嵌合するようにテーパ状に形成されている。
【００４５】
そして、表示部１２とベルト部１３とを係止するときには、適宜重ね合わされた第１係止孔２４および第２係止孔３１に対して突部５２を挿通させた後、突部５２を嵌合孔６２に嵌合させる。
【００４６】
なお、図３に示すように、本実施形態において、患者の手首に対するバンド本体２の巻き方は、透明シート側である表示部１２（またはベルト部１３）の表面にベルト部１３（または表示部１２）の裏面を（上から）合わせるようにした巻き方（巻き方１：図３（ｂ））と、表示部１２およびベルト部１３の裏面を合わせるようにした巻き方（巻き方２：図３（ａ））と、の２通りが考えられる。「巻き方１」は、医療用リストバンド１を患者にはめたときに、外側への出っ張り（特に固定具３部分）が少ないという利点を有し、一方、「巻き方２」は、患者の手首に固定具３が接触しないためすれて痛くなることがなく、また、固定具３による係止を行いやすいという利点を有している。したがって、いずれの巻き方を採用するかについては、患者の要望や使い勝手等を総合的に考慮して決定すればよい。
【００４７】
次に、固定具３の変形例について説明する。図４に示すように、第１変形例の固定具３は、上記した固定具３と略同様に構成されているが、タグ収容部２２内に水等の液体が浸入することを防止する一対の防水機構８１がさらに設けられている。
【００４８】
図４に示すように、一対の防水機構８１は、重ね合わせた表示部１２およびベルト部１３を密着させるように押えることにより、挿入開口２１およびベルト部１３をカットした場合に生じる開口や、（３個の）第１係止孔２４を介してタグ収容部２２に水が浸入することを防止するためのものであり、ベルト部１３の長手方向に並んで、第１係止孔２４を挟むように設けられている。
【００４９】
各防水機構８１は、突部片５１の内側に形成された押え凸部８２と、押え凸部８２の位置に対応して嵌合片６１の内側に形成された受け部８３と、を有している。押え凸部８２は、挿入開口２１の幅長と略同じ、またはそれ以上の長さを有する突条であり、挿入開口２１の幅方向に一致する突部５２の並び方向に延在している。受け部８３も押え凸部８２と同様に構成された突条であり、挿入開口２１の幅方向に一致する嵌合孔６２の並び方向に延在している。
【００５０】
そして、固定具３により表示部１２とベルト部１３とを係止すると、各防水機構８１の押え凸部８２と受け部８３とが、表示部１２およびベルト部１３を介して押し合い状態となる。すなわち、第１係止孔２４を挟んだ２ヶ所において、表示部１２およびベルト部１３が、線状に潰されて略液密状態で密着し、タグ収容部２２に対する浸水が防止される。
【００５１】
特に、表示部１２側（挿入開口２１および第１係止孔２４）では、タグ収容部２２の開口端側（第１係止孔２４の右側）に位置する防水機構８１ａで、挿入開口２１を液密に封止すると共に第１係止孔２４付近のシート１１を離間し難くして第１係止孔２４からの浸水をある程度防ぎ、タグ収容部２２の奥側（第１係止孔２４の左側）に位置する防水機構８１ｂで、防水機構８１ａで防ぎ切れなかった水をさらに防ぐといった２段階の防水構成であるので、タグ収容部２２に水が浸入することを有効に防止することができ、識別タグＴを保護することができる。もっとも、防水機構８１は、必ずしも一対設けなければならないものではなく、実情に合わせて、タグ収容部２２の奥側の防水機構８１ｂのみ、または防水機構ａのみだけを設ける構成とすることも可能である。
【００５２】
なお、本変形例の防水機構８１では、突部片５１に押え凸部を設け、嵌合片６１に受け部８３を設ける構成としたが、突部片５１に受け部８３を設け、嵌合片６１に押え凸部８２を設ける構成とすることも当然に可能である。
【００５３】
また、表示部１２（開口部位２３）およびベルト部１３を線的に押圧し、これらを潰すように挟み込むことができる形状であれば、押え凸部８２および受け部８３の形状は任意に設定することができる（図５参照）。例えば、押え凸部８２および受け部８３を構成する突条の先端形状は、半球状としても良いし、三角形状としてもよい。また、受け部８３の形状は、突条に限定されるものではなく、凹状のもので押え凸部８２（突条）を受ける構成とするなど、様々な形状の組み合わせにより押え凸部８２および受け部８３を構成ことが可能である。
【００５４】
次に、図６を参照して、第２変形例の固定具３について説明する。第２変形例の固定具３は、上述の固定具と同様、３個の第１係止孔２４にそれぞれ対応する３個の突部５２が形成された突部片５１と、各突部５２に嵌合する嵌合孔６２が形成された嵌合片６１と、突部片５１および嵌合片６１を折り込み自在に連結するヒンジ部７１と、を備えているが、突部片５１および嵌合片６１は、表示部１２とベルト部１３を重ね合わせたときの長手方向に連結されている。
【００５５】
この固定具３は、バンド本体２を「巻き方２」の巻き方で巻いて係止するためのものであり、表示部１２とベルト部１３とを係止するときには、患者の手首の太さに合わせて、予めベルト部１３を適当な長さにカットしておき、表示部１２（タグ収容部２２）の端とカットしたベルト部１３の端とを合わせるようにしてから、これらを係止する。なお、この場合も、固定具３には、第１変形例で説明した防水機構と同様な機構の防水機構８１が設けられており、タグ収容部２２への防水が図られている。
【００５６】
次に、第３変形例の固定具３について説明する。図７に示すように、この固定具は、第２変形例の固定具と略同様に構成されているが、突部片５１には、ベルト部１３を挿通させる一対のスリット９１が形成されている。一対のスリット９１は、３個の突部５２を挟むようにベルト部１３の長手方向に並んでスリット９１が一対形成されており、一対のスリット９１にベルト部１３の先端側を挿通させると、ベルト部１３が突部片５１の内側を通るようになっている。
【００５７】
そして、表示部１２およびベルト部１３を係止するときには、一対のスリット９１に対して、連結端側のスリット９１ａ、連結基部側（ヒンジ側）のスリット９１ｂの順でベルト部１３を予め挿通させてから、表示部１２の第１係止孔２４およびベルト部１３の第２係止孔３１を重ね合わせ、重ね合わせた第１係止孔２４および第２係止孔３１に突部５２を挿通させて表示部１２およびベルト部１３を係止するようにする（図８（ａ）参照）。この場合、バンド本体２を患者の手首に巻きつけた状態で、手首の太さに合わせて第２係止孔３１の嵌合位置を調整することができ、事前のベルトカットが不要になると共に、医療用リストバンド１を患者に装着するときの操作性を向上させることができる。
【００５８】
なお、本実施形態では、突部片５１に一対のスリット９１を設けているが、一対のスリット９１は、嵌合片６１に設けるようにしても良い（図８（ｂ）参照）。また、一対のスリット９１のうち、一方を突部片５１に設け、他方を嵌合片６１に設けることも可能である（図８（ｃ）参照）。これらの場合、表示部１２にベルト部１３を係止する前に、第１係止孔２４を突部５２に挿通させておくことができる。
【００５９】
このように、第１実施形態の医療用リストバンド１は、袋状に形成されたタグ収容部２２の開口部位２３に第１係止孔２４が形成されており、固定具３が挿入開口２１の封止機構を兼ねているため、固定具３による表示部１２とベルト部１３との係止作用を利用して、挿入開口２１を封止することが可能である。
【００６０】
次に、本発明の第２実施形態の医療用リストバンド１は、第１実施形態のものと略同様に構成されているが、タグ収容部２２の挿入開口２１の封止方法が異なっている。具体的には、本実施形態では、タグ収容部２２に識別タグＴを収容させた後、専用の装置を用いて開口部位２３を熱溶着させるようになっている（図９（ａ）参照）。
【００６１】
なお、バンド本体２を構成する一方のシート１１の開口部位２３の内側に、両面シール１０１を予め貼付しておくようにしても良い。この場合、タグ収容部２２に識別タグＴを収容させた後に、両面シール１０１の剥離紙を剥離して、両面シール１０１が貼付されたシート１１を他方のシート１１に接着させることにより、挿入開口２１を封止する（図９（ｂ）参照）。
【００６２】
次に、本発明の第３実施形態について説明する。本実施形態の医療用リストバンド１は、バンド本体２の一部を除き、第１実施形態のものと同様に構成されている。ここでは、バンド本体２の第１実施形態とは異なる部分を中心に説明する。図１０（ａ）に示すように、バンド本体２を構成する２枚のシート１１は、その輪郭部の全てが熱溶着されていると共に、第１係止孔２４の縁部も熱溶着されている。そして、表示部１２の表側となる透明のシート１１には、切込み１１１が入れられており、表示部１２には、この切込み１１１を挿入開口としたタグ収容部２２が形成されている。
【００６３】
そして、医療用リストバンド１を使用するときには、切込み１１１から識別タグＴを挿入してタグ収容部２２にこれを収容させた後、裏面に粘着剤が塗布されているシール部材１１２を切込み１１１に貼付して、切込み１１１を封止する。この場合、タグ収容部２２に水が浸入することを防止するため、シール部材１１２を、防水性を有するもので構成することが好ましい。
【００６４】
なお、切込み部にファスナ機構１２１を設け、シール部材１１２に代えてファスナ機構１２１により切込み１１１を封止する構成とすることも可能である（図１０（ｂ）参照）。
【００６５】
また、図１１に示すように、患者に医療用リストバンド１を装着している最中に、シール部材１１２（またはファスナ機構１２１）により封止した挿入開口１１１が開封されることを防止するため、固定具３の突部片５１または嵌合片６１により、封止された挿入開口１１１を覆い隠すことが好ましい。
【００６６】
以上のように、本発明の医療用リストバンドによれば、タグ収容部２２に識別タグＴを収容させ、識別タグＴに表記された識別情報を表示させるものであるので、任意の識別タグＴを用いて、任意の識別情報を表示部１２に表示させることが可能である。
【００６７】
なお、識別タグＴと共に、または識別タグＴに代えて、患者の識別情報や投薬、処置、経過などの付帯情報を含む患者の情報を記憶させたＩＣタグ（ＲＦＩＤ（Radio Frequency-Identification:電波方式認識）付きのタグを含む）タグ収容部２２に収容させるようにしても良い。そして、ＩＣタグのみを用いる場合には、（識別情報を視認する必要がないため）タグ収容部２２の一面を透明に構成していないバンド本体２を使用することも可能である。
【００６８】
患者の情報を記憶したＩＣタグは、専用のリーダにより情報を読み取り、患者を自動識別することが可能である。また、専用のライタにより、ＩＣタグの情報を書き換えたり、追記したりすることが可能である。この場合、ＩＣタグのリーダ／ライタや医療用端末、医療用サーバ、印刷装置などを含めた医療システムを構成することにより、ＩＣタグの情報を読み込んだり、情報を生成して書き込んだりすることができ、タグ収容部２２内のＩＣタグを用いて自動的に患者の情報管理を行うことが可能である。
【００６９】
次に、識別タグＴを印刷する印刷システム２０１（生体情報表示バンド作成システム）について説明する。図１２に示すように、この印刷システム２０１は、識別情報印刷データに基づいて、識別タグＴとなる紙等の印刷媒体に印刷を行う印刷装置２０２と、識別情報印刷データを作成するデータ作成装置２０３と、を備えている。
【００７０】
印刷装置２０２は、汎用のカラープリンタで構成されており、印刷媒体としてロール紙が用いられるようになっている。そして、印刷装置２０２は、データ作成装置２０３からの識別情報印刷データに基づいて、ロール紙を搬送しながら印刷を行う印刷部２１１と、設定情報に基づいて、所定のタイミングでロール紙をカットすることにより、ロール紙の印刷済み部分を所定の長さにオートカットするカット部２１２を備えている。
【００７１】
データ作成装置２０３は、キーボードやマウス等の入力手段やディスプレイ等の表示手段を備えたパソコン等で構成されており、患者の氏名や患者のＩＤ番号、性別、血液型、診療科目等の、識別情報に関する識別情報データや、印刷装置２０２からの各種データ等を入出力するためのデータ入出力部２２１と、識別情報印刷データを作成するためのプログラムや各種データを制御・処理するための各種制御プログラムが記憶され、各種データの処理を行うデータ処理部２２２と、入力された識別情報データを記憶すると共に、制御データや使用者による設定データ等の各種データを記憶するデータ記憶部２２３と、データ処理部２２２による処理に基づいて、を備えている。なお、請求項にいう「入力手段」は、上記入力手段とデータ入出力部２１２とを合わせた概念である。
【００７２】
データ処理部２２２には、データベース作成プログラムが記憶されていると共に、データ記憶部２２３には、各種識別情報データを相互に関連付けしたデータベースが記憶されており、入力された各種識別情報データは、データベース作成プログラムに従い、データ記憶部２２３のデータベースに入力（登録）されるようになっている。
【００７３】
また、データ記憶部２２３には、所定の項目（色分け項目）として設定された識別情報に属する識別情報データを色分け印刷させるため、識別情報と色とを関連付けた色分け設定テーブルが記憶されている。例えば、色分け項目の識別情報として血液側が設定されている場合、Ａ型なら赤、Ｂ型なら黄色といったように、各血液型に対して、異なる所定の色をそれぞれ１対１で対応付けたテーブルを記憶しておく。
【００７４】
そして、識別タグＴを印刷する場合には、データ処理部２２２が識別情報印刷データを作成するためのプログラムに従い、入力された識別情報データを処理することにより識別情報印刷データが作成される。このとき、印刷に必要な患者の識別情報が予め（データ記憶部２２３の）データベースに記憶されていれば、使用者が、患者を識別可能なＩＤ番号を入力することにより、識別情報印刷データを作成可能である。すなわち、入力されたＩＤ番号から、印刷に必要な他の識別情報データがデータベースから検索され、検索された識別情報データに基づいて、識別情報印刷データが作成される。
【００７５】
また、識別情報印刷データを作成する場合、データ処理部２２２は、印刷する識別情報に上記色分け項目が含まれていると、色分け設定テーブルに基づいて、当該色分け項目を印刷するときの印刷色を所定の色に指定した識別情報印刷データを作成する。これにより、所定の色分け項目の識別情報は、印刷装置２０２により所定の色を用いたカラー印刷が為されるため、色分け項目については、色覚的に患者の血液型を識別することが可能となる。なお、色分け項目については、色のみで識別情報を表示させるようにしても良いし、印刷文字と色とを併せて識別情報を表示させるようにしても良い。また、印刷文字と色とを併せて識別情報を表示させる場合の色分けとしては、印刷文字を色分けしても良いし、印刷文字の背景色を色分けしても良い。
【００７６】
さらに、識別タグＴに、ＩＤ番号などをバーコード等で表示することが好ましい。これにより、使用者がバーコードリーダを有する端末（図示省略）で、ＩＤ番号を読み取り、それを元にデータベースを参照して、患者の情報を取得することができ、端末から情報を入力してデータベースに追記や書き換えすることも可能である。この場合、二次元コードを用いると、識別タグＴに必要となる患者の情報を（略）全て表示することが可能であり、使用者が二次元コードリーダを有する端末（図示省略）により、データベースを参照しなくても、必要な情報（患者の秘匿情報を含む）を取得することが可能である。
【００７７】
なお、データ作成装置２０３に、ＲＦＩＤリーダ／ライタ（図示省略）を接続し、データ記憶部２１３に記憶した識別情報データをＲＦＩＤに記憶させることも当然に可能である。
【００７８】
以上のように、本発明を適用した印刷システム２０１により、上述の医療用リストバンド１に収容する識別タグＴを作成することができる。
【００７９】
なお、識別タグＴに印刷する識別情報の種類（内容）や識別情報の表示方法については、実情に合わせて任意に設定可能である。例えば、上記の印刷システム２０１では、所定の項目の識別情報について色分け印刷することにより、色覚的に識別情報の内容を把握できるようにしているが、上記の色分けに代えて、所定の項目の識別情報について異なる図形をそれぞれ対応させ、図形により識別情報の内容を表示するようにすることも可能である。特に、患者の秘匿情報など文字で表示できない場合などでは、特定の図形と色との組み合わせにより表示することもできる。
【００８０】
また、このような識別情報の文字表示、色表示（色分け）、および図形表示（形状分け）を適宜組み合わせることにより、より複雑な識別情報の内容を分かり易く表示するようにすることも可能である。例えば、同姓同名者の場合には、氏名の文字情報に加えて、年齢など他の識別情報を元に色分けおよび形状分けの少なくとも一方を組み合わせることにより、その識別を容易なものとすることが可能である。さらに、アレルギーの有無やアレルギーに関する複数の情報を識別情報として表示する場合、文字によりアレルギーの種類（アレルゲン）を、色および／または図形によりその重度情報を対応させ、これらを組み合わせて（重ね合わせて）表示させることにより、複数の情報を関連付けて、分かり易く表示することが可能である。
【００８１】
また、識別タグＴを、裏面に粘着材が塗布され、剥離紙（台紙）を積層させたラベルで構成すると、患者が手術や検査などで一旦医療用リストバンド１を外したときに、識別タグＴをその患者のカルテや手術、検査の書類などに貼付することができ、患者の情報管理を容易なものとすることができる。
【図面の簡単な説明】
【００８２】
【図１】本発明の第１実施形態にかかる医療用リストバンドの説明図であり（ａ）は、医療用リストバンド全体の説明図、（ｂ）は、固定具の平面図および断面図である。
【図２】医療用リストバンドをロールシートに作りこんだ場合の説明図である。
【図３】第１実施形態の固定具で医療用リストバンドを係止したときの説明図であり、（ａ）は、巻き方１の係止方法を、（ｂ）は巻き方２の係止方法を示した図である。
【図４】第１実施形態の固定具の第１変形例の説明図であり、（ａ）は、固定具の平面図、（ｂ）は、固定具で開口部位（表示部）とバンド部とを係止したときの断面図である。
【図５】防水機構の説明図であり、押え凸部および受け部として考えられる形状を例示した図である。
【図６】第１実施形態の固定具の第２変形例の説明図であり、（ａ）は、固定具の平面図および断面図、（ｂ）は、固定具で開口部位（表示部）とバンド部とを係止したときの説明図である。
【図７】第１実施形態の第３変形例の固定具を示す平面図および断面図である。
【図８】第１実施形態の固定具の第３変形例の説明図であり、（ａ）は、突部片に一対のスリットを設けた場合、（ｂ）は、嵌合片に一対のスリットを設けた場合、（ｃ）は、突部片および嵌合片に一対のスリットを設けた場合、において、開口部位（表示部）とバンド部とを係止したときの説明図である。
【図９】本発明の第２実施形態にかかる医療用リストバンドの説明図であり（ａ）は、開口部位を熱溶着して封止したときの説明図、（ｂ）は、開口部位を両面テープで封止したときの説明図である。
【図１０】本発明の第３実施形態にかかる医療用リストバンドの説明図であり（ａ）は、切込みをシール部材で封止するときの説明図、（ｂ）は、医療用リストバンドにファスナ機構を設けたときの説明図である。
【図１１】本発明の第３実施形態にかかる医療用リストバンドの説明図である。
【図１２】本発明の印刷システムの主制御系を模式説明図である。
【符号の説明】
【００８３】
１  医療用リストバンド              １１  シート
１２  表示部                          １３  ベルト部
２１  挿入開口                        ２２  タグ収容部
２３  開口部位                        ２４  第１係止孔
３１  第２係止孔                      ４１  ロールシート
５１  突部片                          ６１  嵌合片
７１  ヒンジ部                        ８２  押え凸部
８３  受け部                          ９１  スリット
１１２  シール部材                    １２１  ファスナ機構
２０１  印刷システム                  ２１２  データ入出力部
Ｔ  識別タグ
【図１】
2006285036.tif 000003
【図２】
2006285036.tif 000004
【図３】
2006285036.tif 000005
【図４】
2006285036.tif 000006
【図５】
2006285036.tif 000007
【図６】
2006285036.tif 000008
【図７】
2006285036.tif 000009
【図８】
2006285036.tif 000010
【図９】
2006285036.tif 000011
【図１０】
2006285036.tif 000012
【図１１】
2006285036.tif 000013
【図１２】
2006285036.tif 000014